【手続補正書】
【提出日】平成28年5月2日(2016.5.2)
【手続補正１】
【補正対象書類名】特許請求の範囲
【補正対象項目名】請求項２
【補正方法】変更
【補正の内容】
【請求項２】
前記不吐ノズルの位置に対応する不吐部情報を記憶しておく不吐部情報記憶部と、
前記不吐部情報に基づき、前記入力画像における前記通常部と前記不吐補正部とを判別する画像領域判別部と、
前記画像領域判別部の判別結果に基づき、前記通常部に前記第１のハーフトーン処理プログラムファイルを実行し、かつ前記不吐補正部に前記第２のハーフトーン処理プログラムファイルを実行することにより、前記通常部と前記不吐補正部とでそれぞれに適用するハーフトーン処理を切り換えるハーフトーン処理切換部と、
を備える請求項１に記載の画像処理装置。
【手続補正２】
【補正対象書類名】明細書
【補正対象項目名】００１７
【補正方法】変更
【補正の内容】
【００１７】
また、他の課題として、不吐補正部と通常部とを別々の処理でハーフトーン処理を行った場合、不吐補正部のドット配置の特性と通常部のドット配置の特性とが著しく異なると、画像領域同士の接続がうまくいかず、不吐補正部が目立ってしまう場合がある。このようなアーティファクトの問題に対する解決手段についても本発明で取り扱う。
【手続補正３】
【補正対象書類名】明細書
【補正対象項目名】００２２
【補正方法】変更
【補正の内容】
【００２２】
第２態様として、第１態様の画像処理装置において、不吐ノズルの位置に対応する不吐部情報を記憶しておく不吐部情報記憶部と、不吐部情報に基づき、入力画像における通常部と不吐補正部とを判別する画像領域判別部と、画像領域判別部の判別結果に基づき、通常部に第１のハーフトーン処理プログラムファイルを実行し、かつ不吐補正部に第２のハーフトーン処理プログラムファイルを実行することにより、通常部と不吐補正部とでそれぞれに適用するハーフトーン処理を切り換えるハーフトーン処理切換部と、を備える構成とすることができる。
【手続補正４】
【補正対象書類名】明細書
【補正対象項目名】００４４
【補正方法】変更
【補正の内容】
【００４４】
【図１】図１は第１の方法に分類される不吐補正の例を示したフローチャートである。
【図２】図２（Ａ）〜（Ｃ）は、第１の方法に分類される不吐補正の手順の中で扱われる画像データを説明するための模式図であり、図２（Ａ）は入力画像の模式図、図２（Ｂ）は不吐補正画像の模式図、図２（Ｃ）は不吐補正済みハーフトーン画像の模式図である。
【図３】図３は第２の方法に分類される不吐補正の例を示したフローチャートである。
【図４】図４（Ａ）〜（Ｃ）は、第２の方法に分類される不吐補正の手順の中で扱われる画像データを説明するための模式図であり、図４（Ａ）は入力画像の模式図、図４（Ｂ）は補正前のハーフトーン画像の模式図、図４（Ｃ）は不吐補正済みハーフトーン画像の模式図である。
【図５】図５は第３の方法による不吐補正の手順を示したフローチャートである。
【図６】図６（Ａ）〜（Ｃ）は、第３の方法による不吐補正の手順の中で扱われる画像データを説明するための模式図であり、図６（Ａ）は入力画像の模式図、図６（Ｂ）はハーフトーン画像の模式図、図６（Ｃ）は不吐補正済み打滴信号の印加による吐出駆動で実現されるドット画像の模式図である。
【図７】図７は本明細書で用いる用語の説明図である。
【図８】図８は本発明の第１実施形態に係る画像処理装置の要部構成を示したブロック図である。
【図９】図９は複数種類のハーフトーン処理の中から１つのハーフトーン処理を選択操作できる構成を示したブロック図である。
【図１０】図１０は第２実施形態に係る画像処理装置の構成を示すブロック図である。
【図１１】図１１は第１実施形態及び第２実施形態で採用されている画像処理方法のフローチャートである。
【図１２】図１２は第３実施形態に係る画像処理装置の構成を示すブロック図である。
【図１３】図１３は第３実施形態による画像処理方法で採用されている画像処理方法のフローチャートである。
【図１４】図１４（Ａ）〜（Ｄ）は通常部のドットパターンと不吐補正部のドットパターンとが類似している場合の例を示す図であり、図１４（Ａ）は通常部のドットパターンを示し、図１４（Ｂ）は不吐補正部のドットパターンを示し、図１４（Ｃ）は不吐補正済みハーフトーン画像のドットパターンを示し、図１４（Ｄ）は印刷結果の視覚的な見え方を示す図である。
【図１５】図１５（Ａ）〜（Ｄ）は通常部のドットパターンと不吐補正部のドットパターンとが異なっている場合の例を示す図であり、図１５（Ａ）は通常部のドットパターンを示し、図１５（Ｂ）は不吐補正部のドットパターンを示し、図１５（Ｃ）は不吐補正済みハーフトーン画像のドットパターンを示し、図１５（Ｄ）は印刷結果の視覚的な見え方を示す図である。
【図１６】図１６は第４実施形態に係る画像処理装置の構成を示すブロック図である。
【図１７】図１７は図１６に示した画像処理装置における補正部ハーフトーン処理部の構成例を示す要部ブロック図である。
【図１８】図１８は第５実施形態の要部構成を示すブロック図である。
【図１９】図１９は第４実施形態及び第５実施形態で採用されている画像処理方法のフローチャートである。
【図２０】図２０は第６実施形態に係る画像処理装置の構成を示すブロック図である。
【図２１】図２１はインクジェット印刷システムの構成例を示すブロック図である。
【図２２】図２２は本例のインクジェット印刷システムによって印刷を行う際の動作の手順を示したフローチャートである。
【図２３】図２３は本例のインクジェット印刷システムによって印刷を行う際の動作の手順を示したフローチャートである。
【図２４】図２４は印刷条件の設定を行うための印刷設定画面の例を示した図である。
【図２５】図２５は通常部と不吐補正部とでハーフトーン処理の実施タイミングを異ならせる構成の例を示したフローチャートである。
【手続補正５】
【補正対象書類名】明細書
【補正対象項目名】００９３
【補正方法】変更
【補正の内容】
【００９３】
インクジェット印刷システムで使用するインク色の種類や解像度と異なる色の組み合わせや解像度の形式で特定される画像データを印刷する場合には、画像データ取得部１１２の前段、又は、不吐補正処理部１１４の前段において、図示しない前処理部により、色変換や解像度変換などの処理を行い、インクジェット印刷システムで使用するインク色及び解像度の画像データに変換すればよい。
【手続補正６】
【補正対象書類名】明細書
【補正対象項目名】０１４５
【補正方法】変更
【補正の内容】
【０１４５】
不吐補正の技術によって補正ノズルのインク量が適切に調整された場合であっても、通常部のドットパターンと不吐補正部のドットパターンの特性が異なると、不吐部のスジをきれいに消すことができない場合が起こりうる。例えば、印刷業において、印刷物におけるスジ状の画像欠陥は、観察者が印刷物に近づいて注意深く目視観察して評価される場合が多い。そのため、マクロに見て通常部と補正部との濃度が同等であったとしても、両者のドット配置の構造が異なり、ミクロなパターン形態が異なっていると、空間周波数の違いから、粒状の違いが観察され、不自然なテクスチャ（アーティファクト）として問題となることがある。
【手続補正７】
【補正対象書類名】明細書
【補正対象項目名】０１５２
【補正方法】変更
【補正の内容】
【０１５２】
図１５（Ａ）は通常部のドットパターンを示し、図１５（Ｂ）は不吐補正部のドットパターンを示している。図１５（Ａ）は、図１４（Ａ）と同等である。図１５（Ｂ）は、図１４（Ｂ）と比較して、不吐補正部におけるドットの配置構造が相違している。すなわち、図１５（Ｂ）の不吐補正部のドットパターンは、ｙ方向に３画素連続してドットon、３画素連続してドットoff、が周期的に繰り返されるパターンとなっている。
【手続補正８】
【補正対象書類名】明細書
【補正対象項目名】０１８２
【補正方法】変更
【補正の内容】
【０１８２】
また、補正部ハーフトーン処理（ステップＳ１２６）に入力する他のデータとして、入力画像１０２のデータを追加してもよい。図１９中の破線矢印は補正部ハーフトーン処理（ステップＳ１２６）に対して入力画像１０２のデータが与えられることを示している。
【手続補正９】
【補正対象書類名】明細書
【補正対象項目名】０１９５
【補正方法】変更
【補正の内容】
【０１９５】
図２１に示したインクジェット印刷システム７００は、シングルパス方式で画像記録を行うシステムであり、画像処理装置１００と、ヘッドドライバ７２２と、記録ヘッド７２４を備える。記録ヘッド７２４はインクジェットヘッドであり、図７の符号４０に相当するものである。また、インクジェット印刷システム７００は、記録媒体（図２１に図示せず）を搬送する媒体搬送部７２６と、記録ヘッド７２４によって記録媒体上に記録された画像を読み取る画像読取部７２８と、画像読取部７２８から取得した読取画像を解析する画像解析部７３０を備える。画像解析部７３０には、不良ノズル検出部７３２と、不吐補正パラメータ演算部７３４と、が含まれる。
【手続補正１０】
【補正対象書類名】明細書
【補正対象項目名】０２３４
【補正方法】変更
【補正の内容】
【０２３４】
なお、用紙種指定部７７４、ハーフトーン種指定部７７６、不吐補正方式指定部７７８の各欄は、ドロップダウンメニュー方式で選択可能な候補の一覧が表示されるドロップボックス型ＵＩとなっている。
【手続補正１１】
【補正対象書類名】図面
【補正対象項目名】図１１
【補正方法】変更
【補正の内容】
【図１１】
2015139985.tif 000001
【手続補正１２】
【補正対象書類名】図面
【補正対象項目名】図１９
【補正方法】変更
【補正の内容】
【図１９】
2015139985.tif 000002